(57)【要約】【課題】本実施形態は、ダクト式空気調和装置において、室内ファンモータの異常停止を抑制する。【解決手段】本実施形態のダクト式空気調和装置１は、室内ユニット２の筐体１１内の同一空間に配置され、別々のダクト４に接続される複数の室内送風機５と、前記複数の室内送風機５の回転数を制御する室内制御部７１と、を備え、前記室内制御部７１は、回転数が高い方の室内送風機５の回転数を、回転数が低い方の室内送風機５の回転数に応じて設定する。【選択図】    図１
2015137786.tif 000002
【特許請求の範囲】
【請求項１】
室内ユニットの筐体内の同一空間に配置され、別々のダクトに接続される複数の室内送風機と、前記複数の室内送風機の回転数を制御する室内制御部と、を備え、前記室内制御部は、回転数が高い方の室内送風機の回転数を、回転数が低い方の室内送風機の回転数に応じて設定することを特徴とするダクト式空気調和装置。
【請求項２】
前記筐体内には、２つの室内熱交換器と、２つの室内送風機が収容され、前記各室内熱交換器は、それぞれ室外ユニットと冷媒配管により接続されることにより、全体として２つの冷凍サイクルが構成されることを特徴とする請求項１に記載のダクト式空気調和装置。
【発明の詳細な説明】
【技術分野】
【０００１】
本発明の実施態様は、ダクト式空気調和装置に係り、特に複数の送風機を備えたダクト式空気調和装置に関する。
【背景技術】
【０００２】
空調空気をダクトにより住宅の各部屋に導くダクト式空気調和装置が知られている。このダクト式空気調和装置の室内ユニットは、同一の筐体内に複数の室内熱交換器と、複数の室内送風機を収容しており、複数の室内送風機に対応して複数のダクトが設けられている。
【先行技術文献】
【特許文献】
【０００３】
【特許文献１】特開平８−２００７８２号公報
【発明の概要】
【発明が解決しようとする課題】
【０００４】
しかしながら、複数の室内送風機を同一筐体内に収容した場合、室内送風機どうしの回転数に大きな差が生じると、高い回転数で運転している室内送風機の負荷が増加し、その送風機のファンモータが過電流で異常停止することがあった。
本発明の実施形態は、上記のような課題に鑑みなされたもので、複数の室内送風機の回転数に大きな差が生じた場合の異常停止を抑制できるダクト式空気調和装置を提供することを目的とする。
【課題を解決するための手段】
【０００５】
上記の課題を解決するために、本発明の実施形態のダクト式空気調和装置では、筐体内の同一空間に配置され、別々のダクトに接続される複数の室内送風機と、前記複数の室内送風機の回転数を制御する室内制御部と、を備え、前記室内制御部は、回転数が高い方の送風機の回転数を、回転数が低い方の送風機の回転数に応じて設定する。
【図面の簡単な説明】
【０００６】
【図１】本発明の実施形態にかかるダクト式空気調和装置の構成を示す概略図である。
【図２】同実施形態にかかるダクト式空気調和装置の室内ユニットの前面部を除去して示す正面図である。
【図３】同実施形態にかかるダクト式空気調和装置の室内ユニットの構成を示す縦断面図である。
【図４】同実施形態にかかるダクト式空気調和装置の室内ユニットの内部の一部を拡大して示す斜視図である。
【図５】同実施形態にかかるダクト式空気調和装置の制御部の構成を示すブロック図である。
【図６】同実施形態にかかるダクト式空気調和装置の動作を示すフローチャートである。
【図７】同実施形態にかかるダクト式空気調和装置のファンモータの回転数と異常停止との関係を示す説明図である。
【発明を実施するための形態】
【０００７】
以下、本発明の実施形態を図面にもとづき説明する。
図１は、本発明の実施形態にかかるダクト式空気調和装置の構成を示す概略図である。図２は、室内ユニットの構成を正面部を除去して示す正面図である。図３は、室内ユニットの構成を示す縦断面図である。図４は、室内ユニットの内部の一部を拡大して示す斜視図である。
【０００８】
本実施形態に係るダクト式空気調和装置１の室内ユニット２は、屋内の床面に設定され、住宅の各階にダクト４により空調空気を導く構成である。
室内ユニット２は、屋外に設置される室外ユニット３と冷媒配管Ｐにより接続される。
【０００９】
室内ユニット２は、幅広の直方体の筐体１１を備える。筐体１１内には、上方から室内送風機部５、室内熱交換器部６、ドレンパン１８、電気部品箱７が配置される。
【００１０】
図３に示すように、筐体１１の正面１１ａに室内空気の吸込み口１２が設けられ、上面１１ｅに空調空気の吹出し口１３が設けられる。
【００１１】
図４に示すように、吹出し口１３は筐体１１の左右方向に２つ並んで設けられた円形の孔であり、以下、図１中右側を第１の吹出し口１３Ａ、左側を第２の吹出し口１３Ｂとする。
【００１２】
吹出し口１３の上面には、ダクト接続部１４が取り付けられる。ダクト接続部１４は、第１の吹出し口１３Ａに対応する第１のダクト接続部１４Ａと、第２の吹出し口１３Ｂに対応する第２のダクト接続部１４Ｂとで構成される。
【００１３】
図３に示すように、筐体１１内には、室内熱交換器部６が吸込み口１２に対向するように配置される。室内熱交換器部６は、２つの室内熱交換器６Ａ、６Ｂにより構成され、これらは上下方向に並んで配置されるとともに、上端側が筐体正面１１ａに近づくように傾斜して配置される。以下、下方を第１の室内熱交換器６Ａとし、上方を第２の室内熱交換器６Ｂとする。
【００１４】
各室内熱交換器６Ａ、６Ｂは、それぞれ、複数のアルミフィンが所定の間隙を置いて並設され、このアルミフィンに複数の伝熱パイプが貫通されてなるフィンチューブ型の熱交換器である。
【００１５】
図２に示すように、筐体１１内の室内熱交換器部６の上方には、室内送風機部５が配置される。室内送風機部５は、２つの室内送風機５Ａ、５Ｂから構成され、左右に並んで配置される。以下、図２中の右側を第１の室内送風機５Ａとし、左側を第２の室内送風機５Ｂとする。
【００１６】
第１の室内送風機５Ａは、第１の室内ファンモータ５１Ａ、第１のファン５２Ａ、第１のファンケーシング５３Ａで構成される。同様に、第２の室内送風機５Ｂは、第２の室内ファンモータ５１Ｂ、第２のファン５２Ｂ、第２のファンケーシング５３Ｂで構成される。
【００１７】
各室内ファンモータ５１Ａ、５１Ｂは、ＤＣブラシレスモータであり、後述する室内制御部７１により個別に回転数制御が可能になっている。
各室内ファンモータ５１Ａ、５１Ｂの回転軸に多翼型ファンからなるファン５２Ａ、５２Ｂが取り付けられる。
【００１８】
各ファン５２Ａ、５２Ｂは、各ファンケーシング５３Ａ、５３Ｂに収容される。第１のファンケーシング５３Ａは、両側面に空気を吸込むための吸込み口５４Ａが設けられ、上方に吹出しノズル５５Ａが設けられる。同様に、第２のファンケーシング５３Ｂは、両側面に空気を吸込むための吸込み口５４Ｂが設けられ、上方に吹出しノズル５５Ｂが設けられる。
【００１９】
各ファン５２Ａ、５２Ｂの回転にともない空調空気は、各ファンケーシングの吸込み口５４Ａ、５４Ｂから吸込まれ、各吹出しノズル５５Ａ、５５Ｂから吹出される。
【００２０】
図４に示すように、各室内送風機５Ａ、５Ｂは、筐体上面１１ａから下方に所定の間隔をあけて設けられる仕切り板１５の下面に取り付けられる。
各室内送風機５Ａ、５Ｂは、室内ファンモータ５１Ａ、５１Ｂどうしが近接して配置されるとともに、仕切り板１５と室内熱交換部６の間の同一空間Ｓに配置される。
また、仕切り板１５には、各吹出しノズル５５Ａ、５５Ｂとそれぞれ連通する矩形の連絡孔１５Ａ、１５Ｂが設けられる。
【００２１】
仕切り板１５の上部には、吹出しガイド１６が配置される。吹出しガイド１６は、発泡スチロール製で、筐体上面１１ｅ付近の断熱材として機能する。
【００２２】
吹出ガイド１６には、仕切り板１５の連絡孔１５Ａ、１５Ｂと筐体上面１１ｅの吹出し口１３Ａ、１３Ｂとを連絡する２つの連絡通路１６Ａ、１６Ｂが設けられる。
【００２３】
連絡通路１６Ａ、１６Ｂは、その水平断面形状が下方から上方に進むにつれて矩形から円形に滑らかに変化して形成される。この連絡通路１６Ａ、１６Ｂにより、室内送風機５Ａ、５Ｂから吹出される空調空気が整流され、圧力損失の低減が図られる。
【００２４】
図１に示すように、室内送風機部５からダクト接続部１４の間に空気流路１７が形成される。空気流路１７は、２つの独立した流路であり、第１の空気流路１７Ａと第２の空気流路１７Ｂとで構成される。
【００２５】
第１の空気流路１７Ａは、ファンケーシング５３Ａの吸込口５４Ａ、吹出しノズル５５Ａ、仕切り板１５の連絡孔１５Ａ、吹出しガイド１６の連絡通路１６Ａ、筐体１１の吹出し口１３Ａ、ダクト接続部１４Ａで形成される。
【００２６】
一方、第２の空気流路１７Ｂは、ファンケーシング５３Ｂの吸込口５４Ｂ、吹出しノズル５５Ｂ、仕切り板１５の連絡孔１５Ｂ、吹出しガイド１６の連絡通路１６Ｂ、筐体１１の吹出し口１３Ｂ、ダクト接続部１４Ｂで形成される。
【００２７】
筐体１１内から排出された空調空気は、ダクト４を介して住宅の各階に導かれる。図１に示すようにダクト４は、第１のダクト接続部１４Ａに接続される第１のダクト４Ａと、第２のダクト接続部１４Ｂに接続されるダクト４Ｂとで構成される。
【００２８】
第１のダクト４Ａの他端は、住宅の１階の天井裏等に配置された第１の分岐チャンバー（図示しない）に接続される。第１の分岐チャンバーは、複数の分岐ダクト（図示しない）が接続され、複数の分岐ダクトの他端は、１階の各部屋に設けられた吹出しグリル（図示しない）に接続される。従って、第１のダクト４Ａから導かれた空調空気は、第１の分岐チャンバー、分岐ダクト、吹出しグリルを介して１階の各部屋に送られる。
【００２９】
一方、第２のダクト４Ｂの他端は、住宅の２階の天井裏等に配置された第２の分岐チャンバー（図示しない）に接続される。第２の分岐チャンバーは、複数の分岐ダクト（図示しない）が接続され、複数の分岐ダクトの他端は、２階の各部屋に設けられた吹出しグリル（図示しない）に接続される。従って、第２のダクト４Ｂから導かれた空調空気は、第２の分岐チャンバー、分岐ダクト、吹出しグリルを介して２階の各部屋に送られる。
【００３０】
以上のように、本実施形態に係るダクト式空気調和装置１は、個別に回転数制御可能な第１の室内送風機５Ａおよび第２の室内送風機５Ｂ、それぞれ独立した第１の空気流路１７Ａおよび第２の空気流路１７Ｂ、各階に空調空気を導く第１のダクト４Ａおよび第２のダクト４Ｂを備えることにより、住宅の１階と２階の風量を個別に調整可能になっている。
【００３１】
図１〜図３に示すように、筐体１１内の室内熱交換器部６の下方には、室内熱交換器部６で発生するドレン水を受け止めるドレンパン１８が設けられる。
ドレンパン１８の最下部には排水口１８ａ（図２中）が設けられ、この排水口１８ａにドレンパイプ１９の一端が接続される。ドレンパイプ１９の他端は、筐体１１の背面１１ｂ下部に設けられた開口部から筐体１１外に導出され、住宅の排水管に接続される。
【００３２】
図１に示すように、熱交換器部６の下方に位置する第１の室内熱交換器６Ａは、冷媒配管Ｐを介して第１の室外ユニット３Ａと接続される。上方に位置する第２の室内熱交換器６Ｂは、冷媒配管Ｐを介して第２の室外ユニット３Ｂと接続される。
【００３３】
各室外ユニット３Ａ、３Ｂには、室外制御部３１Ａ、３１Ｂの他に、いずれも図示しないインバータ駆動の圧縮機、室外熱交換器、室外送風機、四方弁、膨張弁等が収容される。
【００３４】
第１の室外ユニット３Ａと第１の室内熱交換器６Ａとで第１の冷凍サイクルＲ１が構成される。第２の室外ユニット３Ｂと第２の室内熱交換器６Ｂとで第２の冷凍サイクルが構成される。
【００３５】
冷房運転時は、各室内熱交換器６Ａ、６Ｂが蒸発器として機能し、室内送風機５Ａ、５Ｂの運転にともなって筐体１１内に吸込まれた室内空気を冷却する。冷却された室内空気は冷気（空調空気）となって各ダクト４Ａ、４Ｂを介して住宅の各階に送られる。
【００３６】
暖房運転時は、各室内熱交換器６Ａ、６Ｂが凝縮器として機能し、室内送風機５Ａ、５Ｂの運転にともなって筐体１１内に吸込まれた室内空気を加熱する。加熱された室内空気は暖気（空調空気）となって各ダクト４Ａ、４Ｂを介して住宅の各階に送られる。
【００３７】
次に、本実施形態にかかるダクト式空気調和装置の室内制御部７１について説明する。
ドレンパン１８の下方に配置される電気部品箱７には、室内制御部７１が収容される。室内制御部７１は、第１の冷凍サイクルＲ１の室内制御部７１Ａと、第２の冷凍サイクルＲ２の室内制御部７１Ｂとで構成される。
【００３８】
図３は、当該ダクト式空気調和装置の室内制御部７１の構成を示すブロック図である。各室内制御部７１Ａ、７１Ｂは、それぞれ、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等を備える。
【００３９】
また、各室内制御部７１Ａ、７１Ｂは、それぞれ、室内ファンモータ駆動用のインバータ回路７２Ａ、７２Ｂ、室内ファンモータ５１Ａ、５１Ｂの回転数を検出する回転数検出回路７３Ａ、７３Ｂ等を備える。
【００４０】
各室内制御部７１Ａ、７１Ｂは、電源線および通信線を介して各室外ユニット３Ａ、３Ｂの室外制御部３１Ａ、３１Ｂと接続される。
各室内制御部７１Ａ、７１Ｂは、商用交流電源ＡＣに接続された各室外制御部３１Ａ、３１Ｂから電源線を介して交流電圧が供給される。
【００４１】
各インバータ回路７２Ａ、７２Ｂは、交流電圧を整流し、それを各室内制御部７１Ａ、７１Ｂからの指令に応じた周波数の電圧に変換し、ＤＣブラシレスモータからなる室内ファンモータ５１Ａ、５１Ｂに出力する。この出力が各ファンモータ５１Ａ、５１Ｂの駆動電力となる。
【００４２】
各室内制御部７１Ａ、７１Ｂは、各リモートコントローラ８Ａ、８Ｂが通信線を介して接続される。
リモートコントローラ８Ａは、例えば１階のリビングに取り付けられ、リモートコントローラ８Ｂは、２階の寝室に取り付けられる。各リモートコントローラ８Ａ、８Ｂは、それぞれ、室内温度ＴＡを検知する室内温度センサ温度センサ８１Ａ、８１Ｂと設定温度等の操作ボタン８２Ａ、８２Ｂ等が設けられる。
【００４３】
さらに、各室内制御部７１Ａ、７１Ｂは、筐体１１の吸込み口１２から吸込まれる室内空気の温度を検知する吸込み温度センサ、吹出し口１３から吹出される空調空気の温度を検知する吹出し温度センサおよび各室内熱交換器６Ａ、６Ｂに取り付けられた熱交換器温度センサ６１Ａ、６１Ｂが接続される。各熱交換器温度センサ６１Ａ、６１Ｂは、それぞれ熱交換器温度ＴＣを検知する。
【００４４】
そして、各室内制御部７１Ａ、７１Ｂは、リモートコントローラ８Ａ、８Ｂおよび室外制御部３１Ａ、３１Ｂとのデータ送受信により、各室外制御部３６Ａ、３６Ｂと共に、当該ダクト式空気調和装置の全体を制御する。
【００４５】
各室内制御部７１Ａ、７１Ｂは相互にデータの送受信を行い、例えば、１０秒間隔で室内熱交換器温度ＴＣ、設定温度Ｔｓ、室内ファンモータの目標回転数Ｎｔ等のデータをやりとりしている。
【００４６】
室内制御部７１（第１の室内制御部７１Ａ、第２の室内制御部７１B）は、主要な機能として次の（１）〜（３）の手段を有する。
（１）自らが制御する室内ファンモータの目標回転数が所定回数より上か否かを判定する第１の目標回転数判定手段。
（２）他方の室内ファンモータの目標回転数が所定回転数以下か否かを判定する第２の目標回転数判定手段。
（３）他方の室内ファンモータの目標回転数に応じて自らが制御する室内ファンモータの回転数上限値を設定する回転数上限設定手段。
【００４７】
次に、上記の構成によるダクト式空気調和装置の動作について説明する。
リモートコントローラ８Ａ、８Ｂのいずれか一方によって運転開始が指示されると、室内制御部７１Ａ、７１Ｂは、各リモートコントローラ８Ａ、８Ｂに設けられた温度センサ８１Ａ、８１Ｂによって検知される室内温度ＴＡと、各室内熱交換器６Ａ、６Ｂに設けられた熱交換器温度センサ６１Ａ、６１Ｂによって検知される熱交換器温度ＴＣと、各リモートコントローラ８Ａ、８Ｂで設定された設定温度Ｔｓを取得し、取得した情報をもとに各室内送風機５Ａ、５Ｂの室内ファンモータ５１Ａ、５１Ｂの目標回転数Ｎｔ１を設定する。
【００４８】
一方で、各室内制御部７１Ａ、７１Ｂは、相互のデータ送受信時に、他方の室内制御部７１Ａ、７１Ｂが設定した室内ファンモータ５１Ａ、５１Ｂの目標回転数Ｎｔ２を取得する。
【００４９】
各室内制御部７１Ａ、７１Ｂは、各回転数検出回路７３Ａ、７３Ｂによって検出される回転数が目標回転数Ｎｔ１となるように各インバータ回路７２Ａ、７２Ｂを介して各ファンモータ５１Ａ、５１Ｂの回転数を制御する。
【００５０】
そして、各室内制御部７１Ａ、７１Ｂは、自らが制御する室内ファンモータ５１Ａ、５１Ｂの目標回転数を監視し、自らが制御する室内ファンモータ５１Ａ、５１Ｂが過電流により異常停止しないように回転数上限値を設定する回転数上限値設定処理を実行する
【００５１】
図６は、回転数上限値設定処理において各室内制御部７１Ａ、７１Ｂが実行する処理のフローチャートである。
この処理において先ず各室内制御部７１Ａ、７１Ｂは、自らが制御する室内ファンモータ５１Ａ、５１Ｂの目標回転数Ｎｔ１が所定回転数Ｎｌ（例えば１０００ｒｐｍ）より上か否かを判定する（ステップＳ１）。
【００５２】
自らが制御する室内ファンモータ５１Ａ、５１Ｂの目標回転数Ｎｔ１が所定回転数Ｎｌを超えない場合（ステップＳ１のＮｏ）は、自らが制御する室内ファンモータ５１Ａ、５１Ｂの目標回転数Ｎｔ１を回転数上限値Ｎｍａｘに設定（ステップＳ４）して、回転数上限設定処理を終了する。
【００５３】
ステップＳ１において、自らが制御する室内ファンモータ５１Ａ、５１Ｂの目標回転数Ｎｔ１が所定回転数Ｎｌを超えた場合（Ｙｅｓ）は、他方が制御する室内ファンモータ５１Ａ、５１Ｂの目標回転数Ｎｔ２が所定回転数Ｎｌ以下か否かを判定する（ステップＳ２）。
【００５４】
ステップＳ２において、他方が制御する室内ファンモータ５１Ａ、５１Ｂの目標回転数Ｎｔ２が所定回転数Ｎｌ以下の場合（Ｙｅｓ）は、自らが制御する室内ファンモータ５１Ａ、５１Ｂの回転数上限値Ｎｍａｘを他方が制御する室内ファンモータ５１Ａ、５１Ｂの目標回転数Ｎｔ２に応じて設定して（ステップＳ３）、回転数上限値設定処理を終了する。
【００５５】
具体的には、ステップＳ３において、回転数上限値Ｎｍａｘ（ｒｐｍ）を以下の式（Ｉ）で求める値に設定する。
Ｎｍａｘ＝Ｎl＋α×Ｎｔ２…式（Ｉ）
ここに、αは式（１）の比例関係を表す比例定数である。なお、本実施形態では、Ｎl＝１０００ｒｐｍ、α＝０．２とする。この所定回転数Ｎlおよび係数αは、室内ファンモータが過電流により異常停止しないと認められる程度の値を、実験的あるいは理論的に定めたものである。
【００５６】
一方、ステップＳ２において、他方が制御する室内ファンモータ５１Ａ、５１Ｂの目標回転数Ｎｔ２が所定回転数Ｎｌより大きい場合（Ｎｏ）は、自らが制御する室内ファンモータ５１Ａ、５１Ｂの目標回転数Ｎｔ１を回転数上限値Ｎｍａｘに設定（ステップＳ４）して、回転数上限設定処理を終了する。
【００５７】
図７は、室内ファンモータの回転数とファンモータの異常停止との関係を示す図である。図７中、縦軸は高回転側の室内ファンモータの回転数（ｒｐｍ）を示し、横軸は低回転側の室内ファンモータの回転数（ｒｐｍ）示している。そして、破線で示す線は、高回転側の室内ファンモータが異常停止する境界線ＬＢである。高回転側の室内ファンモータの回転数と低回転側の室内ファンモータの回転数が交わる点が、境界線ＬＢより上側の領域は高回転側の室内ファンモータが過電流により異常停止する領域であり、境界線ＬＢより下側の領域は異常停止しない領域である。また、実線で示す線ＬＡは、上記式（Ｉ）により設定される回転数上限値Ｎｍａｘを表す線である。
【００５８】
例えば、冷房運転時、住宅の１階の室内温度ＴＡ、設定温度Ｔｓと２階の室内温度ＴＡ、設定温度Ｔｓがそれぞれ同じときは、１階と２階の冷房負荷は同じとなり、各室内ファンモータ５１Ａ、５１Ｂの目標回転数も同じになる。この場合、各室内ファンモータ５１Ａ、５１Ｂの目標回転数が共に１２５０ｒｐｍのような高回転であっても、両方の負荷は略等しく、過電流による異常停止は発生しない。
【００５９】
しかし、住宅の１階と２階の室内温度ＴＡ、設定温度Ｔｓに大きな差が生じ、１階の冷房負荷が２階に比べて大きくなるような場合は、第１の室内ファンモータ５１Ａの目標回転数が１２５０ｒｐｍ、第２の室内ファンモータ５１Ｂの目標回転数が６００ｒｐｍのように、室内ファンモータ５１Ａ、５１Ｂの目標回転数に大きな差が生じることがある。
【００６０】
このように、高回転側の室内ファンモータの回転数が１０００ｒｐｍを超えるような高回転で、かつ、室内ファンモータどうしの回転数の差が大きい場合、各室内送風機５Ａ、５Ｂの吸込み口５４Ａ、５４Ｂが同一空間Ｓに配置されていることから、高回転側の第１の室内送風機５Ａに流れ込む空気が増大し、第１の室内ファンモータ５１Ａの負荷が増大する。
【００６１】
この場合、図７の境界線ＬＢよりも上側の異常停止領域にある（図７中点ａ）ため、高回転側の室内ファンモータ５１Ａは過電流により異常停止することになる。
室内ファンモータが異常停止すると、空気調和装置全体の運転が停止してしまうため、快適性が損なわれる等の不具合が生じる。
【００６２】
そこで、本実施形態では、高回転側の室内ファンモータが異常停止しやすい状況において、低回転側の室内ファンモータの目標回転数に応じて高回転側の室内ファンモータの回転数上限値を設定する。つまり、高回転側である第１の室内ファンモータ５１Ａの回転数上限値Ｎｍａｘを上記式（Ｉ）から求められる回転数に設定する。低回転側の室内ファンモータ５１Ｂの目標回転数が６００ｒｐｍの場合、高回転側の室内ファンモータ５１Ａの回転数上限値Ｎｍａｘは１１２０ｒｐｍに設定される（図７中点ｂ）。
【００６３】
これにより、高回転側である第１の室内ファンモータ５１Ａの回転数上限値Ｎｍａｘは、図７中、実線Ａで示される値に設定されるため、境界線Ｂよりも下側の領域となり、高回転側の室内ファンモータ５１Ａの異常停止を抑制でき、快適性を損なうことなくダクト式空気調和装置１の安定した運転が可能となる。
【００６４】
また、本実施形態では、高回転側の室内ファンモータの回転数上限値Ｎｍａｘが、図７の実線Ａで示すように、境界線Ｂよりも低く設定されている。
ここで、各室内制御部７１Ａ、７１Ｂの通信間隔を１０秒、室内ファンモータの回転数変化率を１０ｒｐｍ／秒とすると、次回データ取得までの間に、例えば、高回転側の室内ファンモータの目標回転数が１２００ｒｐｍから１２５０ｒｐｍに変化し、低回転側の室内ファンモータの目標回転数が６５０ｒｐｍから６００ｒｐｍに変化することがある（図７中点ｃから点ａへの変化）。この室内ファンモータの回転数の変化は、図７で示す境界線ＬＢよりも下側の領域から境界線ＬＢよりも上側の領域への変化であり、高回転側の室内ファンモータを制御する室内制御部が回転数上限値Ｎｍａｘを上記式（Ｉ）から求められる値に設定する前に、高回転側の室内ファンモータが異常停止することになる。
【００６５】
そのため、高回転側の室内ファンモータの回転数上限値Ｎｍａｘは、図７の境界線ＬＢよりも低く設定することが望ましい。回転数上限値Ｎｍａｘどの程度低くするかは、室内制御部７１Ａ、７１Ｂ間の通信間隔や室内ファンモータ５１Ａ、５１Ｂの回転数変化率（ｒｐｍ／秒）に応じて設定すればよく、上記のように通信間隔１０秒、回転数変化率１０ｒｐｍ／秒のときは、次回通信までの間に各室内ファンモータ５１Ａ、５１Ｂの回転数が最大で１００ｒｐｍ変化する可能性があるため、図７の境界線LＢに対して回転数上限値を１００ｒｐｍ低く設定するとよい。
【００６６】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００６７】
１…ダクト式空気調和装置、２…室内ユニット、３…室外ユニット、４…ダクト、１１…筐体、５…室内送風機部、６…室内熱交換器部、７…電気部品箱、８…リモートコントローラ、５１Ａ…第１の室内ファンモータ、５１Ｂ…第２の室内ファンモータ、７１…室内制御部、７１Ａ…第１の室内制御部、７１Ｂ…第２の室内制御部。
【図１】
2015137786.tif 000003
【図２】
2015137786.tif 000004
【図３】
2015137786.tif 000005
【図４】
2015137786.tif 000006
【図５】
2015137786.tif 000007
【図６】
2015137786.tif 000008
【図７】
2015137786.tif 000009